(57)【要約】【課題】簡単な機構で操作把持力を軽くして使用できる圧着または切断用の手動工具を提供する。【解決手段】一対の操作用ハンドルのそれぞれを２分割のリンクハンドル２、２とクランクハンドル１、１の連結とし、枢支軸連結板６に付けられた枢支軸４を介したリンクハンドル２、２クランクハンドル１、１に連結板支軸３を介した連結板１４、１４をクランク軸１２、１２で連結されたクランクハンドル１、１のクランク軸１２、１２より下方向位置にて連結板回動軸１３、１３で連結し、前記ハンドルを開閉操作可能とした連結板回動軸１３、１３によって互いに回動自在としたことにより、クランクハンドル１、１を開くときリンクハンドル２、２は開きながらクランクハンドル１、１はリンクハンドル２、２に追従移動しながら連結板１４、１４の連結板支軸３を軸に円周回動によりクランク軸１２、１２を軸に閉鎖方向に付勢可能な構成とする。【選択図】　　　　図１
2004127790.tif 000002
【特許請求の範囲】
【請求項１】
一対の操作用ハンドルのそれぞれを２分割のリンクハンドル、クランクハンドルの連結とし枢支軸連結板に付けられた枢支軸を介したリンクハンドル、クランクハンドルに同じ枢支軸連結板に付けられた連結板支軸を介した連結板をクランク軸で連結された位置より下方へ連結板回動軸で連結し、前記ハンドルを開閉操作可能とし、リンクハンドルとクランクハンドルを連結しているクランク軸は枢支軸を軸に回動し、連結板支軸を介した連結板を連結している連結板回動軸は連結板支軸を軸に回動自在とした一対のハンドルに一対の作動子を連結軸で組み込み前期クランクハンドルを開いたときリンクハンドルに連結された枢支軸と連結板に配置された連結板支軸の円周移動により前記クランクハンドルを開くときリンクハンドルは開きながらクランクハンドルは連結板に連結された連結板回動軸が連結板支軸を軸に閉鎖方向に付勢可能になり、作動子の開閉を小さいハンドル開度で付勢可能としたことを特徴とする圧着又は切断用の手動工具。
【発明の詳細な説明】
【０００１】
【発明が属する技術分野】
本発明は、圧着端子を圧潰して電線に固着し、また電線やワイヤー等を切断する為の手動工具に係わり、特に軽い操作把持力で圧着や切断が出来るようにした圧着又は切断用の手動工具に関する。
【０００２】
【従来の技術】
電線やワイヤーを施工現場で切断する工具として剪断式の手動工具が広く利用されている。また、電気設備の工事においては、圧着端子を電線端部の被服を取り去った部分に差し込んで圧着端子を圧潰して固着する圧着式の手動工具が使用されている。
【０００３】
これらの剪断式及び圧着式の手動工具は、手で握る一対のハンドルに剪断刃又は圧着のためのヘッド部材をリンク機構によって連接し、ハンドルを片手及び両手で開閉操作することによってヘッド部材を開閉させるというのが基本的な構成である。そして、リンク機構をさまざまに工夫することによって、作業者の作業負担を軽減する構造が採用されている。
【０００４】
【発明が解決しようとする課題】
ヘッド部材を作動させるリンク機構はハンドルからの操作力をたとえば倍力化する等によって、作業者の操作負担を軽くすることが出来る。ところが、このような倍力化のためのリンク機構は、ハンドル部の長さを長くしたり、又は第８図に示す様に、テコ状ハンドルの支軸点ｂと作動点ｆ間距離をテコの原理で極端に近づければ把持加圧負担は減少するが、ハンドルが必要以上に大きく開くことになり、使い勝手の面での問題もありまた、ラチエット式等のように多数の部材を使用して構造が複雑になりがちである。このため、リンク機構及びハンドル部の重量が大きくなり、手動工具全体も重くなり、この重量増加分によって作業負担が増え、操作性も悪くなります。また複雑なリンク機構であると、その保守点検も煩雑になり、製造価格も高くなるという問題点があった。本考案は、かかる従来欠点の除去を目的とするものである。
【０００５】
そこで、本発明は簡単な機構で操作圧力を軽減して使い勝手のよい、圧着又は切断用の手動工具を提供することを目的とする。
【０００６】
【課題を解決するための手段】
本発明は、一対の２分割連結された操作用クランクハンドルのそれぞれ先端を枢支軸連結板に付けられた枢支軸を介したリンクハンドルと同じ枢支軸連結板に付けられた連結板支軸を介した連結板を連結板回動軸で、リンクハンドルとクランクハンドルを連結するクランク軸より下方のクランクハンドルに連結板回動軸で連結し、前記クランクハンドルを開閉操作可能にし、連結板支軸によってお互いに回動自在とした配置としてそれぞれの連結軸に一対の作動子を組み込み前記クランクハンドルの開放時リンクハンドルに連結されたクランク軸と連結板に連結された連結板支軸のそれぞれの軸円周回動により前記クランクハンドルを開くときリンクハンドルは枢支軸を軸に開きながらクランクハンドルは連結板の連結板支軸を軸に円周回動によりクランク軸を軸に閉鎖方向に付勢可能になり、またハンドルより把持圧力が作動子への剪断力、咬着力の伝達ロスが微少にて、小さいハンドル開度で付勢可能としたことを特徴とする。
【０００７】
本発明によれば、作動子を開くためにクランクハンドルを開いたときにクランクハンドルに組み込まれた連結板の連動による偏心作用によってクランクハンドルが作動子全開時にクランクハンドルは通常基本的な構成のハンドル開度の半分で可能となる為、前記作動子の支点となる回動支軸より力点となる連結軸間距離を長くしても前記作動子の咬着歯開度をハンドル開度を増大することなく、確保出来ることによって軽い操作圧力で圧着または切断が可能になる。
【０００８】
【発明の実施の形態】
以下、本発明の実施の形態を図面に基づいて説明する。なお、本実施の形態では電線に圧着端子を固定する圧着用の手動工具とする。図１は実施形態における手動工具のクランクハンドルを閉じたときの正面図、図２はクランクハンドルを開いたときの正面図、図３は手動工具の概略斜視図である。
【０００９】
図１において、一対のクランクハンドル１，１に連結されたリンクハンドル２，２の先端に作動子１０，１０が連結され、作動子１０，１０は互いに対峙する面に咬着歯を形成したもので、この咬着歯に電線の被服を取り去った部分に圧着端子をさしこんで圧着端子を挟み込んで電線に圧着固定する。クランクハンドル１、１と作動子１０、１０との間にはリンクハンドル２、２が連結配置され枢支軸連結板６に連結板支軸３にて連結された連結板１４、１４がクランクハンドル１、１に連結板回動軸１３、１３によって回動自在に連結されている。
【００１０】
作動子１０、１０の下端部は図１に示すように枢支軸連結板６に配置された枢支軸４、４を軸に回動可能なリンクハンドル２、２が連結されている、その上端部に作動子１０、１０と連結軸５、５にて連結されリンクハンドル２、２の下端部には前記枢支軸連結板６付けられた連結板支軸３に連結された連結板１４、１４と連結板回動軸１３、１３より連結配置されたクランクハンドル１、１がクランク軸１２、１２で連結されて図１のように互いに向い合った状態で設定される。
【００１１】
図１はリンクハンドル２及びクランクハンドル１を閉じたときの要部を示す切欠正面図、図４は図１のＡ−Ａ線矢視による断面図である。
【００１２】
クランクハンドル１、１の上端部はリンクハンドル２、２の下端部をクランク軸１２、１２にて連結し、さらに連結板支軸３により連結された連結板１４、１４の下端部をクランクハンドル１、１にあるクランク軸１２、１２位置から下方向位置に連結板回動軸１３、１３により連結され、回動自在に配置される。
【００１３】
図５及び図６はクランクハンドル１、１を閉じるときのリンクハンドル２、２及び連結板１４、１４の動きを説明する為の概略図である。
【００１４】
図２に示したようにクランクハンドル１、１を開いたときは、枢支軸連結板６にリンクハンドル２、２が回動自在に枢支軸４、４にて連結され、さらに連結板支軸３にて上端を回動自在に連結された連結板１４、１４の下端をクランクハンドル１、１がリンクハンドル２、２とクランク軸１２、１２にて連結された位置より下方向に連結板回動軸１３、１３による連結配置で連動される。
【００１５】
クランクハンドル１、１を最大に開くと図５（ａ）の状態となる。この図５（ａ）の状態からクランクハンドル１、１をとじていくとき、リンクハンドル２が枢支軸４を介してクランクハンドル１、１とクランク軸１２、１２にて連結され連結板支軸３より連結された連結板１４、１４を連結板回動軸１３によってクランクハンドル１、１に開閉自在に連結されることにより、クランクハンドル１、１はリンクハンドル２、２の枢支軸４とクランク軸１２、１２の軸間円周回動に追従移動し連結板１４、１４の連結板支軸３と連結板回動軸１３、１３の軸間円周回動による図５（ａ）から図５（ｂ）に示す状態に前記クランクハンドル１、１は移動し、最終的には図６（ａ）の状態に設定される。このようなクランクハンドル１の開閉角度の半減は作動子１０、１０の回動支軸７と連結軸５での軸間距離延長による作動子咬着歯の開度確保の為、ハンドル開度増大をクランクハンドル１、１の開度半減作用で解消し、把持操作性も良好となり作動子１０、１０はさらに、増強された圧力で閉じる方向に付勢可能になる。
【００１６】
なお、以上の実施の形態では圧着端子と電線の圧着用として説明したが、作動子１０を切断刃や他の用途形状に換えることで他の手動工具として、広く利用することが出来る。
【００１７】
【発明の効果】
以上説明したように本発明では、ハンドルを２分割連結とし、さらにハンドルに組込んだ枢支軸に対し偏心させた連結板支軸に連結された連結板のハンドル追従回動によってハンドル開度減少作用によって作動子の回動支軸と連結軸の軸間距離延長によるハンドル開度の増大を解消し、操作把持力の軽減が出来、またハンドル開度減少効果によって握り幅も小さくなり操作性も大幅に向上することが出来る。また、ハンドル分割と連結板を組込むだけの構成なので軽量化、小型化が可能となる。
【図面の簡単な説明】
【図１】本発明に係る手動工具のハンドルを閉じた状態を示す切欠正面図である。
【図２】手動工具のハンドルを開いた状態を示す正面図である。
【図３】手動工具のハンドルを開いた状態を示す斜視図である。
【図４】図１のＡ−Ａ線矢視による縦断面図である。
【図５】ハンドル全開状態より、閉じていく過程を示す図である。
【図６】図５に続いてハンドルを閉じていく最終過程を示す図である。
【図７】従来型全体正面図である。
【図８】従来型開放時全体図である。
【図９】図２に示すハンドルを開いた状態を示す正面図に従来型棒状ハンドルを使用した場合の状態を重ねたイメージを破線で示す図である。
【符号の説明】
１　　　クランクハンドル
２　　　リンクハンドル
３　　　連結板支軸
４　　　枢支軸
５　　　連結軸
６　　　枢支軸連結板
７　　　回動支軸
８　　　連結側板
９　　　遊動軸
１０　　作動子
１１　　咬着歯
１２　　クランク軸
１３　　連結板回動軸
１４　　連結板
Ｘ　　　電線
Ｙ　　　圧着端子
【図１】
2004127790.tif 000003
【図２】
2004127790.tif 000004
【図３】
2004127790.tif 000005
【図４】
2004127790.tif 000006
【図５】
2004127790.tif 000007
【図６】
2004127790.tif 000008
【図７】
2004127790.tif 000009
【図８】
2004127790.tif 000010
【図９】
2004127790.tif 000011